(57)【要約】      （修正有）【課題】太陽光発電装置支持架台の連結キットを提供する。【解決手段】太陽光発電装置支持架台の連結キットは締付部材１０および絶縁部材３０を備える。締付部材１０は抗腐食材料から製作され、太陽光発電装置支持架台の連結部材２０の接続箇所に取り付けられて複数の連結部材２０を相互に結合させる。絶縁部材３０は締付部材１０と連結部材２０との間に配置されて締付部材１０の表面と連結部材２０との接触を遮断する。締付部材１０は連結部材２０の間の結合強度を十分に維持できるだけでなく、相互に対応する連結部材２０に腐食または外観上の欠陥現象が発生しないため、全体を組み立てて装着する際の利便性および使用品質を向上させ、メンテナンスコストを削減することができる。【選択図】図１
0003218691.tif 000002
【実用新案登録請求の範囲】
【請求項１】
締付部材および絶縁部材を備える太陽光発電装置支持架台の連結キットであって、
前記太陽光発電装置支持架台は、複数の相互に接続する連結部材を有し、
前記締付部材は、抗腐食材料から製作され、前記連結部材の接続箇所に取り付けられて複数の前記連結部材を相互に結合させ、
前記絶縁部材は、前記締付部材と前記連結部材との間に配置されて前記締付部材の表面と前記連結部材との接触を遮断することを特徴とする太陽光発電装置支持架台の連結キット。
【請求項２】
前記締付部材は、ステンレス鋼またはチタン材料から製作されることを特徴とする請求項１に記載の太陽光発電装置支持架台の連結キット。
【請求項３】
前記締付部材は、ボルトまたはリベットであることを特徴とする請求項１に記載の太陽光発電装置支持架台の連結キット。
【請求項４】
前記絶縁部材は、非金属材料から製作されることを特徴とする請求項１に記載の太陽光発電装置支持架台の連結キット。
【請求項５】
前記絶縁部材は、非金属材料から製作されたガスケットであり、前記ガスケットは前記締付部材と前記連結部材とを隣り合わせる位置に配置されることを特徴とする請求項１に記載の太陽光発電装置支持架台の連結キット。
【請求項６】
前記絶縁部材は、前記締付部材に形成された非金属材料の塗布層を有することを特徴とする請求項１に記載の太陽光発電装置支持架台の連結キット。
【請求項７】
前記絶縁部材は、前記締付部材に形成された非金属材料の塗布層を有し、前記非金属材料の塗布層は前記締付部材の一部分の表面に分布することを特徴とする請求項１に記載の太陽光発電装置支持架台の連結キット。
【考案の詳細な説明】
【技術分野】
【０００１】
本考案は太陽光発電装置に関し、詳しくは太陽光発電装置支持架台の連結キットに関するものである。
【背景技術】
【０００２】
建築物の屋根または室外の地面に太陽光発電装置を設置する際、Ｃ形鋼管と支持金具を結合させて支持架台を構成し、続いて支持架台と太陽光発電装置を所定の設置場所に組み立てる。
【０００３】
現有のＣ形鋼管と支持金具は炭素鋼材料のねじによって結合することが一般的である。しかしながら、炭素鋼材料のねじは長期にわたって風や雨にあたって錆びるという現象が発生する。その代わりにステンレス鋼材料のねじを使用しても異種金属接触腐食が発生するため、支持架台全体の外観に影響を与え、関連部材の結合強度を低下させるだけでなく、使用寿命を縮減し、メンテナンスの費用を増加させる。
【考案の概要】
【考案が解決しようとする課題】
【０００４】
本考案は、支持架台の連結強度を十分に維持し、相互に対応する連結部材に腐食または欠陥が発生するという問題を抑制し、全体を組み立てて装着する際の利便性および使用品質を向上させ、メンテナンスコストを削減することができる太陽光発電装置支持架台の連結キットを提供することを主な目的とする。
【課題を解決するための手段】
【０００５】
上述した課題を解決するため、太陽光発電装置支持架台の連結キットは締付部材および絶縁部材を備える。太陽光発電装置支持架台は複数の相互に接続する連結部材を有する。締付部材は抗腐食材料から製作され、連結部材の接続箇所に取り付けられて複数の連結部材を相互に結合させる。絶縁部材は締付部材と連結部材との間に配置されて締付部材の表面と連結部材との接触を遮断する。締付部材は連結部材の間の結合強度を十分に維持できるだけでなく、相互に対応する連結部材に腐食または外観上の欠陥現象が発生しないため、全体を組み立てて装着する際の利便性および使用品質を向上させ、メンテナンスコストを削減することができる。
【０００６】
比較的好ましい場合、締付部材はステンレス鋼またはチタン材料から製作される。
【０００７】
比較的好ましい場合、締付部材はボルトまたはリベットからなる。
【０００８】
比較的好ましい場合、絶縁部材は非金属材料から製作される。
【０００９】
比較的好ましい場合、絶縁部材は非金属材料から製作されたガスケットである。ガスケットは締付部材と連結部材とを隣り合わせる位置に配置される。
【００１０】
比較的好ましい場合、絶縁部材は締付部材に形成された非金属材料の塗布層を有する。
【００１１】
比較的好ましい場合、絶縁部材は締付部材に形成された非金属材料の塗布層を有する。塗布層は締付部材の一部分の表面に分布する。
【００１２】
本考案による太陽光発電装置の支持部材キットの詳細な内容および特徴は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１３】
【図１】本考案の一実施形態を示す分解斜視図である。
【図２】本考案の別の一実施形態を示す分解斜視図である。
【図３】本考案の別の一実施形態を示す分解斜視図である。
【考案を実施するための形態】
【００１４】
本考案は様々なタイプの支持部材、フレームまたは連結用部材に広範囲に対応できるため、太陽光発電モジュールの設置に関連することが本考案の応用範囲である。また、本考案の応用方法、例えば構造、形、方向または連結方式などに関わる内容および操作方式は下記の実施形態に限定されない。
【００１５】
（一実施形態）
図１に示すように、本考案の一実施形態による太陽光発電装置支持架台の連結キットは、締付部材１０および絶縁部材３０を備える。太陽光発電装置支持架台は複数の相互に接続する連結部材２０を有する。本実施形態において、連結部材２０は棒状のＣ形鋼管２２およびＣ形鋼管２２の一端に嵌まる支持金具２４から構成される。支持金具２４とＣ形鋼管２２とは相互に繋がる連結孔２６を有する。
【００１６】
締付部材１０は、抗腐食材料から製作される。本実施形態において、締付部材１０はステンレス鋼から製作されたボルトであるが、これに限らず、チタン材料または環境および気候異変に耐える材質から製作されてもよい。締付部材はボルト以外のリベットまたは連結効果のある部材であってもよい。
【００１７】
締付部材１０は、連結部材２０の接続箇所に取り付けられる。本実施形態において、締付部材１０は支持金具２４とＣ形鋼管２２との間の連結孔２６に差し込まれる。絶縁部材３０は締付部材１０と支持金具２４との間に配置される。本実施形態において、絶縁部材３０は二つのガラス繊維から製作された環状のガスケット３２であるが、これに限らず、非金属材料から製作されてもよい。ガスケット３２は締付部材１０と連結部材２０とを隣り合わせる位置に配置される。締付部材１０はナット１２およびワッシャー１４によって締め付けられて支持金具２４とＣ形鋼管２２を相互に結合させる。絶縁部材３０は締付部材１０と連結部材２０との間に配置されるため、締付部材１０の表面と連結部材２０との接触を遮断できる。
【００１８】
上述したとおり、本考案は抗腐食材料から製作された締付部材１０と連結部材２０との間に非金属材料から製作された絶縁部材３０を配置するため、締付部材１０の表面と連結部材２０との接触を遮断し、両者の間の電位差が高い部位に腐食が発生することを抑制することができる。締付部材１０は連結部材２０の間の結合強度を十分に維持できるだけでなく、相互に対応する連結部材２０に腐食または外観上の欠陥現象が発生しないため、全体を組み立てて装着する際の利便性および使用品質を向上させ、メンテナンスコストを削減することができる。
【００１９】
（別の一実施形態）
図２に示すように、本考案の別の一実施形態において、絶縁部材は非金属材料の塗布層３４からなる。塗布層３４は締付部材１０およびそれに対応するワッシャー１４の表面に分布するか、締付部材１０上の連結部材２０に接触する部分の表面に分布するため、本考案は塗布層３４によって締付部材１０の表面と連結部材２０との接触を遮断し、本考案の目的を達成することができる。
【００２０】
（別の一実施形態）
図３に示すように、本考案の別の一実施形態において、絶縁部材は締付部材１０に形成された塗布層３４を有し、塗布層３４および非金属材料のガスケット３２を締付部材１０と連結部材２０との間に位置させるため、締付部材１０の表面と連結部材２０との接触を遮断し、本考案の目的を達成することができる。
【符号の説明】
【００２１】
１：締付部材、
１２：ナット、
１４：ワッシャー、
２０：連結部材、
２２：Ｃ形鋼管、
２４：支持金具、
２６：連結孔、
３０：絶縁部材、
３２：ガスケット、
３４：塗布層
【図１】
0003218691.tif 000003
【図２】
0003218691.tif 000004
【図３】
0003218691.tif 000005